(57)【要約】  【課題】  構造が簡単でコストが低く、かつ、効果的なカモフラージュ効果を有するパネル装置を提供するものである。  【解決手段】  本発明は、あたかも車内に車両搭載用電子機器が存在しないかのように見せかけるため、車両搭載用電子機器の前面に配置するためのパネル装置を提供することにより、前記課題を解決する。加えて、前記機器が存在する場所には他の設備又は機器（通常はより安価であり盗難の危険が少ないもの）しかないように見せかけるため、前記パネル装置に対し、他の車両搭載用設備若しくは車両設備の形状を模した形状、又は、車両搭載用電子機器とは異なる種類若しくは機種の車両搭載用電子機器前面の形状を描いた模様を配することにより、前記課題を解決する装置を提供する。【選択図】            図１
2005029077.tif 000002
【特許請求の範囲】
【請求項１】
車両搭載用電子機器の前面に配置され、前記電子機器、又は前記車両のうち電子機器が設置された箇所と類似色であり、人の手で着脱が可能であることを特徴とする車両搭載用電子機器のパネル装置。
【請求項２】
前記パネル装置の前面には、他の車両搭載用設備又は車両設備の形状を模した形状が配されることを特徴とする請求項１に記載のパネル装置。
【請求項３】
前記パネル装置の前面には、前記パネルが配置される車両搭載用電子機器とは異なる種類又は機種の車両搭載用電子機器前面の形状を描いた模様が描かれていることを特徴とする請求項１に記載のパネル装置。
【請求項４】
前記パネル装置の前面の色は黒色又は暗黒色であり、その素材は合成樹脂であることを特徴とする請求項１〜３のいずれか一に記載のパネル装置。
【請求項５】
前記他の車両搭載設備又は車両設備の形状は、車両のエアコンディショナーの空気噴出し口の形状である請求項３に記載のパネル装置。
【発明の詳細な説明】
【技術分野】
【０００１】
本発明は、主に盗難防止に効果を有する、車両搭載用電子機器の前面パネル装置に関するものである。
【背景技術】
【０００２】
オーディオカセットデッキ、ＣＤ（コンパクトディスク）プレーヤー、車内テレビ、カーナビゲーション等の高価な車両搭載用電子機器の盗難事件は多数生じており、車両自体の盗難とともに大きな社会的問題ともなっている。そして、種々の盗難防止装置のなかで、カモフラージュ手段と呼ばれるものがある。
【０００３】
例えば、特許文献１、２では、駆動装置を用い、機器前面のパネルを移動するなどして、非使用時は、車両搭載用電子機器が存在しないかのようにカモフラージュする手段が示されている。また、特許文献３では、機器前面の操作パネル面をスモーク板で覆い、車のＡＣＣがＯＦＦのときには前記操作パネル面が前記スモーク板により表示が見えないようにし、車のＡＣＣがＯＮのときにのみスモーク板を透過して表示が見えるようにする方法が示されている。
【特許文献１】１  特開平９−１２３８４２２  特開２０００−２８５６６３３  特開平９−３３０４８７
【発明の開示】
【発明が解決しようとする課題】
【０００４】
しかし、前記特許文献１、２で示される方法は、機器に駆動装置を取り付けることにより、機器の構造が複雑になり、製造コストの増加を招く。さらに、当該駆動装置を内蔵していない機器には、当然に用いることができない方法である。他方、特許文献３の、スモーク板を設置した方法では、操作パネルの視認性が低下する可能性があり、走行中に操作パネルを操作する場合、安全性に問題が生じる可能性がある。
【０００５】
本発明は、上記の問題点に鑑み、構造が簡単でコストが低く、かつ、効果的なカモフラージュ効果を有するパネル装置を提供するものである。
【課題を解決するための手段】
【０００６】
本発明は、あたかも車内に前記機器が存在しないかのように見せかけるため、車両搭載用電子機器の前面に配置するためのパネル装置を提供することにより、前記課題を解決する。加えて、前記機器が存在する場所には他の設備又は機器（通常はより安価であり盗難の危険が少ないもの）しかないように見せかけるため、前記パネル装置に対し、他の車両搭載用設備若しくは車両設備の形状を模した形状、又は、車両搭載用電子機器とは異なる種類若しくは機種の車両搭載用電子機器前面の形状を描いた模様を配することにより、前記課題を解決する装置を提供する。
【発明の効果】
【０００７】
本発明によれば、前記パネル装置が配された車両搭載用電子機器は、あたかも存在しないかのように、又は、他の安価な装置若しくは機器であるかのようにカモフラージュされ、盗難防止を図ることがでる。また、構成が簡素であるため、低コストで製造・販売が可能であり、かつ盗難防止機能がない機器にも取付け可能な盗難防止装置を提供することができる。
【発明を実施するための最良の形態】
【０００８】
以下、各発明を実施するための最良の形態を説明する。なお、本発明はこれら実施の形態に何ら限定されるものではなく、その要旨を逸脱しない範囲において、種々なる態様で実施しうる。
【０００９】
実施形態１は、主に請求項１などについて説明する。
【００１０】
実施形態２は、主に請求項２などについて説明する。
【００１１】
実施形態３は、主に請求項３、５などについて説明する。
【００１２】
実施形態４は、主に請求項４などについて説明する。
【００１３】
＜＜実施形態１＞＞
【００１４】
＜実施形態１：概要＞
【００１５】
実施形態１について説明する。本実施形態は、車両搭載用電子機器の前面に配置され、前記電子機器、又は前記車両のうち電子機器が設置された箇所と類似色であり、人の手で着脱が可能であることを特徴とする車両搭載用電子機器のパネル装置である。図１は、実施形態１の概要を示す図である。
【００１６】
＜実施形態１：構成＞
【００１７】
ここで、「車両搭載用電子機器」の「車両」とは、電子機器が搭載された、あらゆる種類の自動車、原動機付自転車、自転車、航空機、電車、船舶その他一切の移動又は物資輸送手段をいい、移動のための動力源は、内燃機関、電気、人力その他方法を問わない。
【００１８】
また、「電子機器」とは、前記車両に搭載される、電気的又は電子的な手段により作動する機器であり、その外観の全部又は一部が、人によって視認可能なものをいう。
【００１９】
さらに、「類似色」には、同色を含む。
【００２０】
以下、本明細書において、明示的にこれに反する記載がないかぎり、同様である。
【００２１】
＜実施形態１：特徴＞
【００２２】
また、前記パネル装置は前記電子機器又はダッシュボードと同色又は類似色とする。これのは、前記パネル装置の色を全く異なる色とすれば、それ自体非常に目立ち、カモフラージュ効果が減ぜられるからである。
【００２３】
前記各パネル装置の素材に制限はない。プラスチック等の合成樹脂、金属、紙等あらゆる素材を使用することができる。しかし、本発明の趣旨が、車両搭載用電子機器の盗難防止のためのカモフラージュにあること、多数回の着脱に耐えるものであることを考えれば、ある程度耐久性があり、外見上、容易にカモフラージュであると分かる素材は避けることが望ましい。
【００２４】
前記各パネル装置の取付け方法に制限はなく、前記各パネル装置を設置する対象となる車両搭載用電子機器の形状によっても異なるが、人の手で着脱が可能であることを要する。
【００２５】
例えば、図２で説明すると、前記パネル装置２０２をプラスチック素材で製造し、前記パネル装置２０２が、前記車両搭載用電子機器２０１の前面の溝又は凹凸に組み合わさることにより、前記装置２０２を前記機器２０１に固定する方法が考えられる。
【００２６】
なお、前記各パネル装置は、前記機器が設置されている車両が走行している間は、前記機器から取り外されていることが多く、逆に前記車両が停止している間設置されていることが多いことから、前記固定方法は、耐振動性に優れた強固な固定方法を取る必要はない。
【００２７】
＜実施形態１：具体例＞
【００２８】
図１より、本実施形態の具体例を説明する。自動車１０１のダッシュボード１０６に、カーナビゲーション機器１０２及びオーディオ機器１０３が搭載されている。
【００２９】
そして、実施形態１のパネル装置１０４は、カーナビゲーション機器１０２又はダッシュボード１０６と同色又は類似色であり、カーナビゲーション機器１０２の前面を覆うようにその前面に設置される。
【００３０】
同様に、実施形態１のパネル装置１０５は、オーディオ機器１０３又はダッシュボード１０６と同色又は類似色であり、オーディオ機器１０３の前面を覆うようにその前面に設置される。
【００３１】
自動車１０１の使用者は、自動車１０１を走行中は、パネル装置１０４，１０５を、前記機器１０２，１０３から取り外すことが一般的である。そして、前記使用者は、自動車１０１を使用した後、特に駐車場等にある程度長時間駐車するときなど前記機器の盗難の危険があると判断すると、前記パネル装置１０４，１０５を、前記機器１０２，１０３に設置する。
【００３２】
設置すると、前記機器１０２，１０３が存在していた場所は、単なる無地の素材で覆われ、外部より、前記機器１０２，１０３の存在をカモフラージュすることができる。
【００３３】
＜実施形態１：効果＞
【００３４】
本実施形態によれば、前記パネル装置が配された車両搭載用電子機器があたかも存在しないかのようにカモフラージュされ、盗難防止の可能性を高めることができる。
【００３５】
＜＜実施形態２＞＞
【００３６】
＜実施形態２：概要＞
【００３７】
実施形態２は、実施形態１のパネル装置の前面に、他の車両搭載用設備又は車両設備の形状を模した形状が配されることを特徴とする実施形態１に記載のパネル装置である。
【００３８】
実施形態２の構成、特徴、具体例、効果は、本実施形態において述べることを除けば、すべて実施形態１と同様である。
【００３９】
＜実施形態２：構成＞
【００４０】
前記パネル装置に配される他の車両搭載用設備又は車両設備の形状を模した形状としては、一般的に車両内に存在するものであればどんなものでもよく、何らの制約はない。
【００４１】
しかしながら、前記設備の形状を模する趣旨が、高価な車両搭載用電子機器の盗難の防止にあることを考えれば、前記設備は、これを見る者をして盗難意欲を惹起させることのないような安価なもの（すなわち、小物入れ、ごみ箱、ドリンクホルダー、携帯電話ホルダー等）、又は、車両そのものの一部として独立した機器とは考えられないもの（エアコン等の吹出し口、引出し、小物入れ、シガーライター装置等）、を想定することが一般的である。
【００４２】
＜実施形態２：具体例＞
【００４３】
図３は、本実施形態の一例の概念を示すものである。車両内（図示しない）に設置された電子機器３０１に、パネル装置３０２が設置される。
【００４４】
パネル装置３０２の前面の上部には、ダミーの引出が、パネル装置３０２の前面の下部には、ダミーの空気吹出し口が配されている。
【００４５】
また、図４は、本実施形態の別の例を示すものである。パネル装置４０２には、ダミーのドリンクホルダーが配されている。
【００４６】
そして、本実施形態、前記各パネル装置を、前記各電子機器の前面を覆うような形で設置することにより、実施する。
【００４７】
＜実施形態２：効果＞
【００４８】
本実施形態によれば、前記パネル装置が配された車両搭載用電子機器があたかも存在しないよう見せかけることに加え、さらに、前記車両搭載用電子機器が設置されている場所には、他の安価な装置があるかのように見えないようにカモフラージュすることができる。前記車両からの盗難を企てる者は、前記車両には、前記安価な装置しかないと考え盗難意欲を失うことが考えられる。以上によって、所望の効果を得ることができる。
【００４９】
＜＜実施形態３＞＞
【００５０】
＜実施形態３：概要＞
【００５１】
実施形態３は、前記パネル装置の前面に、前記パネルが配置される車両搭載用電子機器とは異なる種類又は機種の車両搭載用電子機器前面の形状を描いた模様が描かれていることを特徴とする請求項１に記載のパネル装置である。
【００５２】
実施形態３の構成、特徴、具体例、効果は、本実施形態において述べることを除けば、すべて実施形態１と同様である。
【００５３】
＜実施形態３：構成＞
【００５４】
前記パネル装置の前面に描かれる車両搭載用電子機器とは異なる種類又は機種の車両搭載用電子機器としては、一般的に、車両搭載用電子機器であればどのようなものでもよい。
【００５５】
しかし、本発明の趣旨が、高価な車両搭載用電子機器の盗難防止にあることを考えれば、前記異なる種類又は機種の車両搭載用電子機器は、これを見る者をして盗難意欲を惹起させないような安価な機器であるかのように描画されることが一般的である。
【００５６】
前記描画の方法は、どんな方法でもよい。例えば、電子機器が描かれた紙面又はシールを前記パネル装置に貼付する方法でもよいし、前記描画を、印刷などの方法を用いて、直接、前記装置に行う方法でもよい。
【００５７】
＜実施形態３：具体例＞
【００５８】
図４は、本実施形態の一例の概念を示すものである。車両内（図示しない）に設置された電子機器５０１に、パネル装置５０２が設置される。
【００５９】
電子機器５０１は、ＡＭ／ＦＭラジオ、ＣＤプレーヤーのほか、グラフィックイコライザーなどの音質調節装置などを備えた高価な機器である。
【００６０】
パネル装置５０２には、ＡＭラジオチューナのみが搭載された安価なオーディオ機器の前面部が描かれたシール５０３が貼付されている。
【００６１】
そして、パネル装置５０２が、電子機器５０１の前面を覆うような形で設置される。
【００６２】
＜実施形態３：効果＞
【００６３】
本実施形態によれば、前記パネル装置が配された車両搭載用電子機器があたかも存在せず、しかも、前記車両搭載用電子機器が設置された他の場所には他の安価な機器があるかのように、カモフラージュすることができる。そして、実施形態２と同様、前記車両からの盗難を企てる者が盗難意欲を失い、所望の効果を得ることができる。
【００６４】
＜実施形態４＞
【００６５】
実施形態４は、前記パネル装置の前面の色は黒色又は暗黒色であり、その素材は合成樹脂であることを特徴とする請求項１〜３に記載のパネル装置である。
【００６６】
実施形態４の構成、特徴、具体例、効果は、以下の特徴を除けば、すべて実施形態１〜３と同様である。
【００６７】
前記パネル装置は、まず、その前面の色は黒色又は暗黒色であることを特徴とするが、これは、車両に使用される機器又は設備は黒色又は暗黒色であることが多いこと、及び、黒色又は暗黒色とすることにより、目立ちにくくし、カモフラージュ効果を高めることにその主たる目的がある。
【００６８】
さらに、前記パネル装置は、その素材は合成樹脂であることを特徴とするが、これは、合成樹脂を素材とすることにより、前記車両搭載用電子機器と組み合わせることを容易にすることにその主たる目的がある。
【図面の簡単な説明】
【００６９】
【図１】実施形態１の概要を示す図
【図２】実施形態１のパネル装置を、車両搭載用電子機器に設置する方法を説明する図
【図３】実施形態２の具体例を示す図
【図４】実施形態２の具体例を示す図
【図５】実施形態３の具体例を示す図
【符号の説明】
【００７０】
１０１  自動車
１０２  カーナビゲーション機器
１０３  オーディオ機器
１０４  パネル装置
１０５  パネル装置
１０６  ダッシュボード
２０１  車両搭載用電子機器
２０２  パネル装置
３０１  車両搭載用電子機器
３０２  パネル装置
４０１  車両搭載用電子機器
４０２  パネル装置
５０１  車両搭載用電子機器
５０２  パネル装置
５０３  シール
【図１】
2005029077.tif 000003
【図２】
2005029077.tif 000004
【図３】
2005029077.tif 000005
【図４】
2005029077.tif 000006
【図５】
2005029077.tif 000007